(57)【要約】【課題】本発明の課題は、高い滑り止め効果及び良好な把持感触を得られるとともに、クラックの発生し難い溝を有する筆記具のグリップを簡単な構造で提供することにある。【解決手段】本発明は、前記課題を解決するために、軸筒の把持部に装着する、軟質材からなる筆記具のグリップにおいて、前記グリップの表面に、周方向及び／または軸方向に延びる溝を複数本形成するとともに、前記溝の側面と底面の交差する部分に、凹部を形成したことを特徴とする。【選択図】図２
2009262391.tif 000002
【特許請求の範囲】
【請求項１】
軸筒の把持部に装着する、軟質材からなる筆記具のグリップにおいて、前記グリップの表面に、周方向及び／または軸方向に延びる溝を複数本形成するとともに、前記溝の側面と底面の交差する部分に、凹部を形成したことを特徴とする筆記具のグリップ。
【請求項２】
前記凹部が、曲面状からなることを特徴とする請求項１に記載の筆記具のグリップ。
【請求項３】
軸筒の把持部に装着する、軟質材からなる筆記具のグリップにおいて、前記グリップの表面に、周方向及び／または軸方向に延びる溝を複数本形成するとともに、前記溝の幅が、グリップの表面側から軸心方向に向かって、除々に幅広に形成するとともに、前記溝の側面と、底面との交差する部分が、曲面状からなることを特徴とする筆記具のグリップ。
【発明の詳細な説明】
【技術分野】
【０００１】
本発明は、軸筒の把持部に装着する、軟質材からなる筆記具のグリップに関する。
【背景技術】
【０００２】
軸筒の把持部に装着する、軟質材からなる筆記具のグリップにおいて、把持した時の滑り止め効果の向上及び把持感触を向上するため、特開平８−３５７３２２号公報「筆記具のグリップ」や特開２００３−１５４７８２号「グリップ」等に、グリップの表面に溝を形成している筆記具のグリップが開示されている。
【０００３】
また、特開２０００−３２６６８２号公報「筆記具の筆記軸体」では、適度なクッション効果を得るために、溝の形成位置や溝の深さ、溝の幅等を特定している。
【０００４】
このように、溝を形成したグリップにおいて、より高い滑り止め効果及び良好な把持感触を得るには、溝を形成することによって得られる板状突起を変形し易くすることが重要であるが、板状突起を変形し易くするためには、前述した特許文献１から３のように、溝の幅や深さを大きくすること、あるいは使用する材質を軟らかいものにすることが考えられる。
【特許文献１】特開平８−３５７３２２号公報
【特許文献２】特開２００３−１５４７８２号公報
【特許文献３】特開２０００−３２６６８２号公報
【発明の開示】
【発明が解決しようとする課題】
【０００５】
しかし、溝の幅や深さを大きくするには、グリップ外径を大きくする必要があり、小径のグリップ部材では困難であった。また、硬度を特定すると使用できる軟質材が制限されてしまう等の問題があった。
【０００６】
またその反面、板状突起を変形し易くすると、板状突起の変形量が大きくなるため、板状突起の底部、具体的には、溝の側面と底面の交差する部分に応力が集中するため、この部分にクラックが発生する恐れがあった。
【０００７】
本発明の目的は、高い滑り止め効果及び良好な把持感触を得られるとともに、クラックの発生し難い溝を有する筆記具のグリップを簡単な構造で提供することにある。
【課題を解決するための手段】
【０００８】
本発明は、軸筒の把持部に装着する、軟質材からなる筆記具のグリップにおいて、前記グリップの表面に、周方向及び／または軸方向に延びる溝を複数本形成するとともに、前記溝の側面と底面の交差する部分に、凹部を形成したことを特徴とする。
【０００９】
また、前記凹部の壁面が、曲面状からなることを特徴とする。
【００１０】
また、軸筒の把持部に装着する、軟質材からなる筆記具のグリップにおいて、前記グリップの表面に、周方向及び／または軸方向に延びる溝を複数本形成するとともに、前記溝の幅が、グリップの表面側から軸方向に向かって、除々に幅広に形成するとともに、前記溝の側面と、底面との交差する部分が、曲面状からなることを特徴とする。
【００１１】
本発明の軟質材とは、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている軟質材のなかから適宜選定して用いることができる。
【発明の効果】
【００１２】
本発明は、高い滑り止め効果及び良好な把持感触を得られるとともに、クラックの発生し難い溝を有する筆記具のグリップを簡単な構造で提供することができた。
【発明を実施するための最良の形態】
【００１３】
次に図面を参照しながら、本発明の筆記具の実施例を説明するが、本発明は以下の実施例に限定されるものではない。
【００１４】
実施例１
図１、２に示す実施例１の筆記具のグリップ１は、ショアー硬度がＨｓ（ＪＩＳ  Ａ）７０のシリコーンゴムにて成形してある。また、グリップの表面には、軸方向に沿って延びる溝２を複数本、形成して複数の板状突起１ａを設け、この溝２の側面２ａと底面２ｂの交差する部分２ｄに、横断面が略円弧形状の凹部２ｃを形成してある。
【００１５】
溝２の側面２ａと底面２ｂの交差する部分に、凹部２ｃを形成することによって、板状突起１ａが変形する時に、凹部２ｃによって、溝が開く方向（矢印Ｆ）及び溝が閉じる方向（矢印Ｇ）の両方に変形し易くなる効果を奏する。
【００１６】
また、個々の板状突起１ａが変形する時に発生する、板状突起１ａの底部、具体的には、溝２の側面２ａと底面２ｂの交差する部分への応力が、凹部２ｃによって分散するため、この部分のクラックの発生を抑制することができる。
【００１７】
尚、凹部２ｃの形状は特に限定されるものではないが、凹部２ｃを曲面状に形成することによって、一箇所に応力が集中することがないため、応力が分散し易く、クラックの発生を効果的に抑制することができる。
【００１８】
また、凹部２ｃの大きさも特に限定されなく、溝２の側面２ａと底面２ｂの交差する２箇所の凹部２ｃを連続する１つの凹部としてもよいが、凹部２ｃ間に、肉厚部１ｂを設けることによって、凹部２ｃを形成することによって低下する強度を極力抑制することができるので、非連続とすることが最も好ましい。
【００１９】
図３は、実施例１の筆記具のグリップ１を装着したノック式ボールペンを示す。このノック式ボールペンは、前軸３と後軸４を螺着して軸筒本体を形成する。前軸３の把持部は、外径が小径に形成してあり、この把持部に、実施例１の筆記具グリップ１を装着してある。
【００２０】
また、前軸３には、口先部材５を螺着し、口先部材５の後端面と前軸３の段部間に、筆記具のグリップ１を圧縮した状態で保持してある。さらに、軸筒本体内に、インキ収容筒８の先端部に、ボールペンチップ９を装着したボールペンレフィルをコイルスプリング１０によって後方に付勢して収納してあり、後軸３内に具備した回転カム６による出没機構によって、ノック体６を押圧することで、ボールペンチップ９を口先部材５の先端開口部５ａから出没可能としてある。
【００２１】
実施例２
図４、５に示す実施例２の筆記具のグリップ１１は、ショアー硬度がＨｓ（ＪＩＳ  Ａ）７０のシリコーンゴムにて成形してある。また、グリップ１１の表面には、軸方向に沿って延びる溝１２を複数本、形成して複数の板状突起１１ａを設けてある。また、溝１２の幅が、グリップの表面側から溝１２の底面１２ｂに向かって、除々に幅広（Ｌ＜Ｍ）になるように形成するとともに、この溝１２の側面１２ａと底面１２ｂの交差する部分１２ｄを略円弧形状に形成してある。
【００２２】
溝の幅が、グリップの表面側から溝１２の底面１２ｂに向かって、除々に幅広になるように形成することによって、溝１２の側面１２ａと底面１２ｂの交差する部分１２ｄに空間部１２ｃが形成され、板状突起１１ａが変形する時に、溝が閉じる方向（矢印Ｈ）に変形し易くなる効果を奏する。
【００２３】
また、空間部１２ｃを曲面状としてあるので、板状突起１１ａが変形する時に発生する、溝１２の側面１２ａと底面１２ｂの交差する部分への応力が、分散し易いため、この部分のクラックの発生を抑制することができる。
【００２４】
尚、本実施例では、便宜上、軸方向に対して平行に延びる溝を形成して板状突起を形成しているが、溝の形成位置、形状、数は特に限定されるものではなく、周方向に溝を形成してもよい。また、軸方向に対し平行又は垂直状でなく、傾斜する溝であってもよいが、軸方向に対し平行又は垂直状に溝を形成することが製造上、最も好ましい。
【００２５】
また、周方向及び軸方向の溝を交差させて、個々の独立した突起を形成すると、溝の側面と底面の交差する部分が増加するが、どちらか一方方向の溝を、幅及び深さを大きし、幅広で深い主溝と、幅狭で浅い副溝として、主溝の側面と底面の交差する部分に凹部を形成してあればよい。これは、把持力による突起の変形時に発生する応力は、幅広で深い主溝の側面と底面の交差する部分に大きく加わるためである。
【産業上の利用可能性】
【００２６】
本発明の筆記具のグリップは、筆記体の種類やノック式、キャップ式に限定されることなく、軸筒の把持部に装着する筆記具のグリップとして広く実施可能である。
【００２７】
また、図示はしていないが、本発明のグリップは、二層構造の外側又は内側のグリップとして使用することもできる。
【図面の簡単な説明】
【００２８】
【図１】実施例１の筆記具のグリップを示す、縦断面図である。
【図２】図１におけるＡ−Ａ断面図及び一部を拡大した図である。
【図３】実施例１の筆記具のグリップをノック式筆記具の軸筒に装着した状態を示す縦断面図である。
【図４】実施例２の筆記具のグリップを示す、縦断面図である。
【図５】図４におけるＢ−Ｂ断面図及び一部を拡大した図である。
【符号の説明】
【００２９】
１、１１  筆記具のグリップ
１ａ、１１ａ  板状突起
２、１２  溝
２ａ、１２ａ  側面
２ｂ、１２ｂ  底面
２ｃ  凹部
３  前軸
４  後軸
５  口先部材
５ａ  先端開口部
６  ノック体
７  回転カム
８  インキ収容筒
９  ボールペンチップ
１０  コイルスプリング
１２ｃ  空間部
【図１】
2009262391.tif 000003
【図２】
2009262391.tif 000004
【図３】
2009262391.tif 000005
【図４】
2009262391.tif 000006
【図５】
2009262391.tif 000007